(57)【要約】【課題】通気口からの放熱を抑制された通気用具、及び、この通気用具の設けられた断熱水槽を提供する。【解決手段】通気弁３４は、弾性膜で構成され、連通路２２Ｒを横切ると共に、内側筒部材３０の筒内が外側筒部材２２側と貯水空間Ｒ側とに区画されるように配置され、外縁が分割された内側筒部材３０の間に挟み込まれている。また、通気弁３４は、円の直径方向に切込部３６が構成されて２分割されている。【選択図】図２
2012091814.tif 000002
【特許請求の範囲】
【請求項１】
温水を貯留する水槽と、
筒内に連通路が構成され、前記水槽の内部に構成される貯水空間と前記水槽外とを連通させ、前記水槽外に突出した外側筒部及び前記外側筒部から延出され前記貯水空間内に配置される内側筒部を有する連通筒と、
前記連通筒の前記外側筒部側の開口を覆う上蓋部材と、
前記上蓋部材の下側と前記連通筒の上部との間に構成され、前記連通筒の筒内と筒外とを連通させる連通口と、
中央部に切込部が構成された弾性膜で構成され、前記通気筒の前記内側筒部に設けられて前記貯水空間側と前記連通口側とを区画し、通常時には前記切込部が閉じて前記貯水空間を閉鎖し、前記貯水空間内圧が正圧及び負圧になると、弾性変形により前記切込部に隙間が構成されて前記貯水空間が開放する通気弁と、
を有し、前記水槽に設置された通気用具と、
を備えた断熱水槽。
【発明の詳細な説明】
【技術分野】
【０００１】
本発明は、断熱水槽に関する。
【背景技術】
【０００２】
従来より、複数のパネル部材を接合して形成される水槽が知られている。このような水槽では、一般的に、水槽への水の補給の際に内部が正圧となったり、水槽から放水した際に内部が負圧となったりすることを抑制するために、通気口が設けられている（特許文献１、２参照）。
【０００３】
一方、このような水槽に断熱、保温機能を付加して、水槽内に温水を貯留する断熱水槽が提案されている。この断熱水槽は、内部に貯留されている湯の温度が低下しないように、様々な工夫がなされている。しかしながら、通気口から外部へ熱が逃げてしまい、水温が低下してしまうという問題がある。水温が低下すると、一定温度の維持が求められている場合には、当該温度となるように再加熱しなければならす、温度維持のための費用が高くなると共に、加熱装置の稼働時間も長くなり、加熱装置の耐久性にも影響がでてしまう。
【先行技術文献】
【特許文献】
【０００４】
【特許文献１】特開２００８−２７３６０１号公報
【特許文献２】特開平９−１７５５９５号公報
【発明の概要】
【発明が解決しようとする課題】
【０００５】
本発明は、上記事実を考慮してなされたものであり、貯水空間の熱が通気口を介して外部へ放熱されにくく、保温性を向上させた、断熱水槽を提供することを目的とする。
【課題を解決するための手段】
【０００６】
請求項１の本発明の断熱水槽は、  温水を貯留する水槽と、筒内に連通路が構成され、前記水槽の内部に構成される貯水空間と前記水槽外とを連通させ、前記水槽外に突出した外側筒部及び前記外側筒部から延出され前記貯水空間内に配置される内側筒部を有する連通筒と、前記連通筒の前記外側筒部側の開口を覆う上蓋部材と、前記上蓋部材の下側と前記連通筒の上部との間に構成され、前記連通筒の筒内と筒外とを連通させる連通口と、中央部に切込部が構成された弾性膜で構成され、前記通気筒の前記内側筒部に設けられて前記貯水空間側と前記連通口側とを区画し、通常時には前記切込部が閉じて前記貯水空間を閉鎖し、前記貯水空間内圧が正圧及び負圧になると、弾性変形により前記切込部に隙間が構成されて前記貯水空間が開放する通気弁と、
を有し、前記水槽に設置された通気用具と、を備えている。
【０００７】
本発明の断熱水槽は、温水を貯留する水槽であって、通気を通気用具で行っている。通気用具は、水槽の内部に構成される貯水空間と水槽外とを連通させる連通筒を有している。連通筒の筒内には、連通路が構成され、水槽外に突出した外側筒部と貯水空間内に配置される内側筒部とを有している。連通筒の外側筒部側の開口は、上蓋部材で覆われている。上蓋部材により、外部からの異物の水槽内への進入が阻止されている。上蓋部材の下側と連通筒の上部との間には、連通筒の筒内と筒外とを連通させる連通口が構成されている。そして、連通筒には通気弁が設けられている。通気弁は、貯水空間側と連通口側とを区画して、通常時、すなわち、貯水空間内が大気圧の時には、弾性膜に構成された切込部が閉じて貯水空間は閉鎖され、貯水空間内圧が正圧または負圧となった場合に弾性膜の弾性変形により切込部に隙間が構成されて記貯水空間が開放される。
【０００８】
本発明によれば、通気弁により、貯水空間側と連通口側とが区画されて、貯水空間が閉鎖されているので、水槽内の熱が連通口を通って外部へ放出されることを抑制することができる。また、通気弁は、貯水空間内圧が正圧となった場合に貯水空間の内側から押されて弾性膜の弾性変形により切込部に隙間が構成され貯水空間を開放すると共に、貯水空間内圧が負圧となった場合に貯水空間の外側から押されて同様に弾性膜の弾性変形により切込部に隙間が構成され前記貯水空間を開放する。このように、貯水空間内圧の変化を利用して、簡易開閉動作を行うことができる。
【０００９】
また、通気弁を、貯水空間内に配置される内側筒部に配置しているので、連通筒の外側筒部に設けた場合と比較して、貯水空間からの熱の放出を、効果的に抑制することができる。
【００１０】
また、通気弁を弾性膜で形成することにより、貯水空間内圧変化に応じて弾性変形させて、貯水空間を簡易に開閉することができる。
【発明の効果】
【００１１】
以上説明したように、本発明の断熱水槽によれば、貯水空間の熱が通気口を介して外部へ放熱されにくく、保温性を向上させることができる。
【図面の簡単な説明】
【００１２】
【図１】本実施形態に係る断熱水槽の斜視図である。
【図２】本実施形態に係る通気用具の分解斜視図である。
【図３】本実施形態に係る通気用具が取り付けられた状態（通気弁閉鎖）を示す断面図である。
【図４】本実施形態に係る通気用具が取り付けられた状態（通気弁開放）を示す断面図である。
【図５】本実施形態に係る通気用具の通気弁の上面図である。
【発明を実施するための形態】
【００１３】
本発明に係る断熱水槽について、図面に基づき説明する。
【００１４】
図１に示されるように、本実施形態の断熱水槽１０は、屋外に配置されて温水の貯水に用いられるものであって、水槽を支持する基礎台１２上に設置されている。断熱水槽１０は、天井部１４、側面部１６、及び、底面部（不図示）を有し、各々が複数のパネル部材を組み付けて構成され、内部に貯水空間Ｒが構成されている。貯水空間Ｒには、常温よりも高い温度の温水が貯留される。断熱水槽１０には、加温装置としてヒートポンプ給湯システム装置１１が接続されており、貯水空間Ｒ内の水を加熱できるようになっている。
【００１５】
断熱水槽１０の天井部１４には、取付穴１４Ａが構成されており（図３参照）、取付穴１４Ａに通気用具２０が設置されている。通気用具２０は、図２に示されるように、外側筒部材２２、及び、内側筒部材３０を備えている。
【００１６】
外側筒部材２２は円筒形状とされ、本体部２４、フランジ部２６、及び、取付部２８を有している。本体部２４は、天井部１４から突出するように配置されている。取付部２８は、本体部２４と一体的に形成されて、貯水空間Ｒ内に挿入されている。取付部２８の外周面には、後述する内側筒部材３０の雌ネジ３０Ｎと螺合する雄ネジ２８Ｎが形成されている。本体部２４及び取付部２８の外径は、取付穴１４Ａよりも小径とされており、取付部２８が取付穴１４Ａを挿通可能になっている。
【００１７】
フランジ部２６は、本体部２４の外周面から径方向外側に張り出して取付穴１４Ａよりも外径が大径とされており、止水部材２９を介して天井部１４の上部に配置されている。止水部材２９は、内径が取付穴１４Ａと略同径、外径がフランジ部２６の外径と略同径の、板状リング形状とされ、樹脂、ゴムなどの弾性変形可能な材料で形成されている。外側筒部材２２の筒内空間は、後述する内側筒部材３０の筒内空間と共に、連通路２２Ｒを構成している。（図３参照）本体部２４の先端側には、メッシュ状の網板４０が筒軸と直交するように配置されている。網板４０は、本体部２４の先端部２４Ａに挟み込まれるように取り付けられ、連通路２２Ｒを横切ると共に、外側筒部材２２の側面から外側に突出され、円板形状とされている。
【００１８】
内側筒部材３０は、短尺の筒状とされ、筒軸方向に突出する突起３２が筒端に複数（本実施形態では４つ）形成されている。また、内側筒部材３０は、貯水空間Ｒ内に配置され、筒内空間は、外側筒部材２２の筒内空間と共に連通路２２Ｒを構成している。内側筒部材３０と外側筒部材２２とで、連通筒が構成され、連通路２２Ｒを介して貯水空間Ｒが外部と連通されている。内側筒部材３０は、筒軸方向に２分割されており、２分割された一方の内壁に取付部２８の雄ネジ２８Ｎと螺合される雌ネジ３０Ｎが形成されている。外側筒部材２２の取付部２８を断熱水槽１０の外側から取付穴１４Ａに挿入すると共に、貯水空間Ｒ内側に配置された内側筒部材３０の雌ネジ３０Ｎへ雄ネジ２８Ｎを螺合させて、通気用具２０が取り付けられる。このとき、突起３２とフランジ部２６で天井部１４の取付穴１４Ａ周りが挟持されて、通気用具２０が立設される。
【００１９】
内側筒部材３０の分割部分（筒軸方向の中間部）には、通気弁３４が設けられている。通気弁３４は、弾性膜で構成され、連通路２２Ｒを横切ると共に、内側筒部材３０の筒内が外側筒部材２２側と貯水空間Ｒ側とに区画されるように配置され、外縁が分割された内側筒部材３０の間に挟み込まれている。また、通気弁３４は、図５にも示されるように、円の直径方向に切込部３６が構成されて略２分割されている。切込部３６は、貯水空間Ｒ内が大気圧の時には、閉鎖されている。また、切込部３６は、貯水空間Ｒの内圧が正圧（大気圧よりも高い内圧）となった場合に、貯水空間Ｒの内側からの圧力により押されて開き、貯水空間Ｒから空気が排気されるように弾性変形可能とされている。また、貯水空間Ｒの内圧が負圧（大気圧よりも低い内圧）となった場合に、貯水空間Ｒの外側からの圧力により押されて開き、貯水空間Ｒへ空気が流入するように弾性変形可能とされている。
【００２０】
通気弁３４は、樹脂材、ゴム材などの、弾性変形可能な膜状部材で構成することができる。例えば、（スチレン−エチレン−ブチレン−スチレンブロック共重合体合成ゴム）、ＥＰＤＭ（エチレンプロピレンゴム）などを用いることができる。ＳＥＢＳは、復元性、柔軟性に優れ、ＥＰＤＭは、耐熱性、耐候性、耐オゾン性にすぐれる。また、通気弁３４は、断熱効果のある部材であることが好ましい。
【００２１】
外側筒部材２２の上部には、上蓋部材４２が配置されている。上蓋部材４２は、逆椀状とされ、外側筒部材２２の上部開口を覆うと共に、網板４０の外周端により外側筒部材２２の先端部２４Ａとの間が離間するように支持されている。この離間部分に、連通路２２Ｒと外部とを連通させる連通口２２Ａが構成されている。上蓋部材４２の外縁部４２Ａは、先端部２４Ａよりも低い位置に配置されている。
【００２２】
次に、本実施形態の作用について説明する。
【００２３】
貯水空間Ｒ内が大気圧の時には、図３に示されるように、切込部３６の両側が互いに当接された状態となって、通気弁３４は閉鎖されている。貯水空間Ｒに水が供給されて、貯水空間Ｒの内圧が正圧（大気圧よりも高い内圧）になると、図４に示されるように、通気弁３４は、貯水空間Ｒの内側からの圧力により押されて外側開放位置Ｐ１のように弾性変形し、切込部３６が開く。これにより、貯水空間Ｒから空気が排気される。
【００２４】
また、貯水空間Ｒから水が流出されて、貯水空間Ｒの内圧が負圧（大気圧よりも低い内圧）となった場合に、通気弁３４は、貯水空間Ｒの外側からの圧力により押されて内側開放位置Ｐ２のように弾性変形し、切込部３６が開く。これにより、外部から貯水空間Ｒへ空気が流入する。
【００２５】
本実施形態の通気用具２０は、上記のように通気弁３４を有しているので、貯水空間Ｒの内圧が大気圧の時には、連通路２２Ｒを通って貯水空間Ｒ内の熱が外部へ放出されにくくなり、断熱水槽１０の保温性を高めることができる。また、貯水空間Ｒ内が正圧、又は負圧となって、通気が必要な場合には、貯水空間Ｒ内の圧力変動により、自動的に通気弁３４が開放されると共に、通気が不要となった時に自動的に閉鎖されるので、簡単な構成で通気機能を維持することができる。
【００２６】
なお、本実施形態では、通気弁３４を貯水空間Ｒ内に配置された内側筒部材３０に設けたが、通気弁３４は外側筒部材２２側に設けてもよい。通気弁３４を貯水空間Ｒ内、特に、取付穴１４Ａに近い位置に設けることにより、より効果的に放熱を抑制することができる。
【符号の説明】
【００２７】
１０   断熱水槽
２０   通気用具
２２   外側筒部材
２２Ａ 連通口
２２Ｒ 連通路
３０   内側筒部材
３４   通気弁
３６   切込部
４２   上蓋部材
Ｒ     貯水空間
【図１】
2012091814.tif 000003
【図２】
2012091814.tif 000004
【図３】
2012091814.tif 000005
【図４】
2012091814.tif 000006
【図５】
2012091814.tif 000007